(57)【要約】【課題】ブレーキロータの貫通孔内に車体側フランジを通過させてブレーキロータを車輪取付フランジに取り付ける際、ブレーキロータに傷が付くことを防ぐことができ、かつ組み付け性の低下を抑制可能な車輪用軸受装置を提供する。【解決手段】車輪用軸受装置１は、車体側フランジ２１を有する外方部材２と、車輪８及びブレーキロータ７が取り付けられる車輪側フランジ３１を有する内方部材３と、外方部材２と内方部材３との間の転動体４と、外方部材２に着脱可能な一対のガイド部材６とを備える。車輪側フランジ３１には、ブレーキロータ取付部３１１が設けられ、ブレーキロータ７には、車体側フランジ２１を軸方向に通過させることが可能な貫通孔７０が形成されている。ブレーキロータ７は、ガイド部材６によって内方部材３に対する径方向移動が規制された状態で貫通孔７０の内側に車体側フランジ２１を通過させてブレーキロータ取付部３１１に取り付けられる。【選択図】図５
2019190570.tif 000002
【特許請求の範囲】
【請求項１】
懸架装置のナックルに取り付けられる車体側フランジを有する外方部材と、
車輪及びブレーキロータが取り付けられる車輪側フランジを有する内方部材と、
前記外方部材と前記内方部材との間に配置された複数の転動体と、
前記車輪側フランジに着脱可能に取り付けられたガイド部材とを備え、
前記車輪側フランジには、前記車輪が取り付けられる面とは反対側の面に前記ブレーキロータが取り付けられるブレーキロータ取付部が設けられ、
前記ブレーキロータには、前記車体側フランジを軸方向に通過させることが可能な貫通孔が形成され、
前記ブレーキロータは、前記ガイド部材によって前記内方部材に対する径方向移動が規制された状態で前記貫通孔の内側に前記車体側フランジを通過させて前記ブレーキロータ取付部に取り付けられる、
車輪用軸受装置。
【請求項２】
前記車輪側フランジ及び前記ブレーキロータには、前記ブレーキロータを前記車輪側フランジに固定するためのボルトの軸部を挿通させるボルト孔がそれぞれ形成され、
前記ガイド部材は、前記車輪側フランジの前記ボルト孔に挿通された棒状のガイド部を有し、
前記ブレーキロータは、その前記ボルト孔に前記ガイド部が挿通されて前記内方部材に対する径方向移動が規制される、
請求項１に記載の車輪用軸受装置。
【請求項３】
前記ガイド部材は、前記ガイド部が前記外方部材の車体側の端面よりもさらに車体側に延在している、
請求項２に記載の車輪用軸受装置。
【請求項４】
前記車輪側フランジには、前記ボルトの頭部を収容する凹部が前記ボルト孔に連通して形成されており、
前記ガイド部材は、前記凹部に嵌合固定される固定部を有する、
請求項２又は３に記載の車輪用軸受装置。
【請求項５】
前記ガイド部材は、樹脂からなる、
請求項１乃至４の何れか１項に記載の車輪用軸受装置。
【発明の詳細な説明】
【技術分野】
【０００１】
本発明は、車輪を回転可能に支持する車輪用軸受装置に関する。
【背景技術】
【０００２】
従来、車両の懸架装置のナックルに取り付けられる外方部材と、車輪が取り付けられる内方部材と、外方部材と内方部材との間に配置された複数の転動体とを有する車輪用軸受装置が知られている。このような車輪用軸受装置は、ハブユニットとも称され、車体に対して車輪を回転可能に支持するために広く用いられている（例えば、特許文献１，２参照）。
【０００３】
特許文献１に記載の車輪用軸受装置は、内方部材にハブフランジが設けられ、このハブフランジに複数のハブボルトが埋め込まれている。そして、このハブボルトによってブレーキディスクが車輪（ホイール）と共に取り付けられている。
【０００４】
特許文献２に記載の車輪用軸受装置は、内方部材に車輪取付フランジが設けられ、外方部材にはナックルへの取り付けのための車体取付フランジが設けられている。車輪取付フランジには、軸方向一側の端面に車輪が取り付けられると共に、軸方向他側の端面にブレーキロータが取り付けられる。車輪は、車輪取付フランジに埋め込まれたハブボルトによって固定され、ブレーキロータは、車輪取付フランジに形成された座繰り部に頭部が収容される固定ボルトによって固定される。
【先行技術文献】
【特許文献】
【０００５】
【特許文献１】特開２０１４−１８０９８４号公報
【特許文献２】特開２０１０−１３７６２４号公報
【発明の概要】
【発明が解決しようとする課題】
【０００６】
特許文献２に記載の車輪用軸受装置では、特許文献１に記載の車輪用軸受装置に比較して、ブレーキロータの支持剛性を高めることができる。一方、特許文献２に記載の車輪用軸受装置では、ブレーキロータを車輪取付フランジに取り付ける際、ブレーキロータの中心部に形成された貫通孔に外方部材の車体取付フランジを通過させ、ブレーキロータを車輪取付フランジに当接させる工程が必要となる。
【０００７】
そして、この工程の作業時にブレーキロータが車体取付フランジに衝突してブレーキロータに傷が付くと、ブレーキロータを車輪取付フランジに取り付けられなくなったり、ブレーキロータが車輪取付フランジに対して傾いた状態で取り付けられて回転振れが発生してしまう等のおそれがあった。また、ブレーキロータが車体取付フランジに衝突しないように組み付けを行うには、ブレーキロータと外方部材とを正確に位置合わせして慎重な作業を行う必要があり、組み付け性が低下してしまうおそれがあった。
【０００８】
そこで、本発明は、ブレーキロータの貫通孔内に車体側フランジを通過させてブレーキロータを車輪取付フランジに取り付ける際、ブレーキロータに傷が付くことを防ぐことができ、かつ組み付け性の低下を抑制可能な車輪用軸受装置を提供することを目的とする。
【課題を解決するための手段】
【０００９】
本発明は、上記の目的を達成するため、懸架装置のナックルに取り付けられる車体側フランジを有する外方部材と、車輪及びブレーキロータが取り付けられる車輪側フランジを有する内方部材と、前記外方部材と前記内方部材との間に配置された複数の転動体と、前記車輪側フランジに着脱可能に取り付けられたガイド部材とを備え、前記車輪側フランジには、前記車輪が取り付けられる面とは反対側の面に前記ブレーキロータが取り付けられるブレーキロータ取付部が設けられ、前記ブレーキロータには、前記車体側フランジを軸方向に通過させることが可能な貫通孔が形成され、前記ブレーキロータは、前記ガイド部材によって前記内方部材に対する径方向移動が規制された状態で前記貫通孔の内側に前記車体側フランジを通過させて前記ブレーキロータ取付部に取り付けられる、車輪用軸受装置を提供する。
【発明の効果】
【００１０】
本発明に係る車輪用軸受装置によれば、ブレーキロータの貫通孔内に車体側フランジを通過させてブレーキロータを車輪取付フランジに取り付ける際、ブレーキロータに傷が付くことを防ぐことができると共に、組み付け性の低下を抑制することが可能となる。
【図面の簡単な説明】
【００１１】
【図１】本発明の実施の形態に係る車輪用軸受装置が車両に搭載された状態を示す構造図である。
【図２】車輪用軸受装置の構成を示す断面図である。
【図３】車輪用軸受装置を車両インナ側から見た図である。
【図４】ブレーキロータを車両インナ側から見た図である。
【図５】ブレーキロータ取付工程を示す断面図である。
【図６】外方部材の車体側フランジがブレーキロータの貫通孔を軸方向に通過する際の状態を示す斜視図である。
【図７】ブレーキロータの組み付け時に外方部材との衝突によってブレーキロータの取付部に傷が付いた状態の一例を示す図である。
【発明を実施するための形態】
【００１２】
［実施の形態］
本発明の実施の形態に係る車輪用軸受装置の構成について、図１乃至図７を参照して説明する。なお、以下に説明する実施の形態は、本発明を実施する上での好適な具体例として示すものであり、技術的に好ましい種々の技術的事項を具体的に例示している部分もあるが、本発明の技術的範囲は、この具体的態様に限定されるものではない。
【００１３】
図１は、本実施の形態に係る車輪用軸受装置が車両に搭載された状態を示す構造図である。この車輪用軸受装置１は、外方部材２及び内方部材３を備え、外方部材２と内方部材３とが後述する複数の転動体によって相対回転可能とされている。外方部材２は、車体側フランジ２１を有し、内方部材３は、車輪側フランジ３１を有している。車体側フランジ２１は、懸架装置９のナックル９１に取り付けられている。車輪側フランジ３１には、車輪８及びブレーキロータ７が取り付けられている。ブレーキロータ７が取り付けられた車輪用軸受装置１は、ブレーキロータ付き車輪用軸受装置１０を構成する。
【００１４】
懸架装置９は、ナックル９１と、アッパアーム９２と、ロアアーム９３と、ショックアブソーバ９４と、サスペンションスプリング９５とを有して構成されている。アッパアーム９２は、その一端部がナックル９１に連結され、他端部が車体の第１アーム支持部９６に連結されている。ロアアーム９３は、その一端部がナックル９１に連結され、他端部が車体の第２アーム支持部９７に連結されている。
【００１５】
車体側フランジ２１には、ナックル９１への固定のためのナックルボルト５０の軸部５０１を挿通させるボルト挿通孔２１０が形成されている。ナックルボルト５０は、頭部５００が車体側フランジ２１に当接し、軸部５０１がナックル９１のねじ孔９１０に螺合している。
【００１６】
車輪８は、金属製のホイール８１にゴム製のタイヤ８２が装着されている。以下、車輪用軸受装置１において、車輪８側（図１の左側）を車両アウタ側といい、その反対側である車体側（図１の右側）を車両インナ側という。車輪８は、ナックル９１に取り付けられたブレーキ装置９０の作動によってブレーキロータ７に発生する摩擦力により制動される。
【００１７】
ブレーキロータ７は、鋳鉄あるいはステンレス等の鋼材からなり、車輪側フランジ３１に取り付けられる円盤状の取付部７１と、取付部７１の外径側の端部から車両インナ側に延びる円筒状の筒部７２と、筒部７２の車両インナ側の端部から径方向外方に延びる摩擦部７３とを一体に有している。摩擦部７３は、円環板状の一対の摩擦板７３１，７３２と、一対の摩擦板７３１，７３２の間に放射状に延びる複数のリブ７３３とを有している。筒部７２の内径は車輪側フランジ３１の外径よりも小さく、摩擦部７３は、その一部が車輪側フランジ３１と軸方向に並んでいる。この構成により、例えば特許文献１に記載された車輪用軸受装置のようにハブフランジと車輪との間にブレーキディスク（ブレーキロータ）が挟まれる場合に比較して、ブレーキロータ７の外径を小さくすることが可能となる。
【００１８】
ブレーキ装置９０は、シリンダ部９００が設けられたキャリパ９０１と、シリンダ部９００内に進退移動可能に収容されたピストン９０２と、一対のブレーキパッド９０３，９０４とを有している。ブレーキ装置９０は、シリンダ部９００にブレーキオイルが供給されることによって作動し、シリンダ部９００の油圧によってピストン９０２が一方のブレーキパッド９０３を一方の摩擦板７３２に押し付けると共に、油圧の反力によってキャリパ９０１が他方のブレーキパッド９０４を他方の摩擦板７３１に押し付ける。
【００１９】
車輪８のホイール８１は、車輪側フランジ３１の車両アウタ側の端面である車輪取付面３１ａに固定される。車輪側フランジ３１には、ホイール８１を固定するための複数のハブボルト５１が圧入された圧入孔３１０が形成されており、ハブボルト５１の軸部５１１が車輪取付面３１ａから車両アウタ側に突出している。ハブボルト５１の頭部５１０は、車輪側フランジ３１の車両インナ側の端面に当接している。ホイール８１には、ハブボルト５１の軸部５１１を挿通させる複数のボルト挿通孔８１０が形成されている。図１では、このうち１つのボルト挿通孔８１０を図示している。ホイール８１は、ボルト挿通孔８１０から車両アウタ側に突き出た軸部５１１にナット５２が締め付けられることにより、車輪側フランジ３１に取り付けられる。
【００２０】
車輪側フランジ３１には、車輪取付面３１ａとは反対側の面に、ブレーキロータ７が取り付けられるブレーキロータ取付部３１１が設けられている。また、車輪側フランジ３１には、ブレーキロータ７を車輪側フランジ３１に固定するための固定ボルト５３の頭部５３０が収容される凹部３１２、及び固定ボルト５３の軸部５３１が挿通されるボルト挿通孔３１３が形成されている。凹部３１２は車輪取付面３１ａに開口し、ボルト挿通孔３１３と連通している。固定ボルト５３は、軸部５３１がボルト挿通孔３１３から車両インナ側に突出している。ブレーキロータ７は、取付部７１に設けられたねじ孔７１１に固定ボルト５３の軸部５３１が螺合することにより、車輪側フランジ３１に取り付けられる。ねじ孔７１１は、取付部７１を軸方向に貫通している。ボルト挿通孔３１３及びねじ孔７１１は、本発明におけるボルト孔の一態様である。
【００２１】
図２は、ブレーキロータ７を取り付ける前の車輪用軸受装置１の構成を示す断面図である。図３は、車輪用軸受装置１を車両インナ側から見た図である。図４は、ブレーキロータ７を車両インナ側から見た図である。
【００２２】
車輪用軸受装置１は、外方部材２及び内方部材３と、複数の転動体４と、外方部材２と内方部材３との間への異物の侵入を抑止する第１及び第２のシール部材５４，５５と、車輪側フランジ３１に着脱可能に取り付けられた一対のガイド部材６とを備えている。第１のシール部材５４は、外方部材２の筒部２０における車両アウタ側の端部からの異物の侵入を抑止し、第２のシール部材５５は、外方部材２の筒部２０における車両インナ側の端部からの異物の侵入を抑止している。第１のシール部材５４は、その一部が筒部２０の外周面に嵌合して固定されている。なお、図２では、車輪側フランジ３１に取り付けられるブレーキロータ７を仮想線（二点鎖線）で示している。
【００２３】
転動体４は、外方部材２と内方部材３との間に複列に配置されている。以下、車両アウタ側の複数の転動体４からなる転動体列をアウタ側転動体列４ａといい、車両インナ側の複数の転動体４からなる転動体列をインナ側転動体列４ｂという。アウタ側転動体列４ａの複数の転動体４及びインナ側転動体列４ｂの複数の転動体４は、それぞれ第１及び第２の保持器４１，４２によって等間隔に保持されている。本実施の形態では、転動体４が円錐ころであり、複数の転動体４が外方部材２及び内方部材３と共に複列円錐ころ軸受を構成する。ただし、これに限らず、転動体４が球状であってもよい。転動体４の材料としては、例えば高炭素クロム軸受鋼材が用いられる。
【００２４】
外方部材２は、例えば高炭素クロム軸受鋼や炭素鋼等の鋼材からなり、略円筒状の筒部２０及び車体側フランジ２１を一体に有している。筒部２０の内周面には、アウタ側転動体列４ａの複数の転動体４を転動させる第１外側軌道面２０ａ、及びインナ側転動体列４ｂの複数の転動体４を転動させる第２外側軌道面２０ｂが形成されている。第１外側軌道面２０ａ及び第２外側軌道面２０ｂは、筒部２０の両端部に近づくほど内径が大きくなるテーパ状に形成されている。筒部２０は、車体側フランジ２１の車両アウタ側及び車両インナ側に延在している。車体側フランジ２１よりも車両インナ側における筒部２０の外周面は、ナックル９１（図１参照）の内周面が嵌合するナックル取付面２０ｃとして形成されている。
【００２５】
車体側フランジ２１は、筒部２０の外周面から突出して形成されている。本実施の形態では、車体側フランジ２１が４つの突部２１１、及びこれら４つの突部２１１の間に周方向に延在する帯状突起２１２を有している。ナックル取付面２０ｃからの径方向外方への突部２１１の突出高さは、帯状突起２１２の突出高さよりも高く、それぞれの突部２１１にはボルト挿通孔２１０が軸方向に貫通して形成されている。また、本実施の形態では、外方部材２の周方向における４つの突部２１１の間隔が不等間隔であるが、４つの突部２１１が周方向に等間隔に設けられていてもよい。また、突部２１１の数は４つに限らず、例えば３つであってもよい。
【００２６】
内方部材３は、車輪側フランジ３１、ホイール８１が嵌合する円筒状の嵌合部３２、及び外方部材２の内側に配置される胴部３３を一体に有するハブ輪３０と、第１及び第２の内輪３４，３５とを有している。第１の内輪３４及び第２の内輪３５は、ハブ輪３０の回転軸線Ｏに平行な軸方向に並列し、第１の内輪３４が車両アウタ側に、第２の内輪３５が車両インナ側に、それぞれ配置されている。ハブ輪３０の車両アウタ側の端部には、軽量化のために凹所３００が形成されている。
【００２７】
第１の内輪３４は、外方部材２の第１外側軌道面２０ａに対向してアウタ側転動体列４ａの複数の転動体４を転動させる第１内側軌道面３４ａを有している。第２の内輪３５は、外方部材２の第２外側軌道面２０ｂに対向してインナ側転動体列４ｂの複数の転動体４を転動させる第２内側軌道面３５ａを有している。第１及び第２の内輪３４，３５は、ハブ輪３０の胴部３３の端部を加締めて形成された加締め部３３１により、胴部３３の外周面に固定されている。第１及び第２の内輪３４，３５は、例えば高炭素クロム軸受鋼や炭素鋼等の鋼材からなる。ハブ輪３０は、例えば中炭素鋼からなり、鍛造によって成形されている。
【００２８】
ハブ輪３０のブレーキロータ取付部３１１は、ブレーキロータ７の取付部７１の内周面７０ａが嵌合する嵌合面３１１ａと、取付部７１の車両アウタ側の端面７１ａが当接する当接面３１１ｂとによって形成されている。図３に示すように、回転軸線Ｏからの嵌合面３１１ａの距離Ｄ１は、車体側フランジ２１における帯状突起２１２の外周面と回転軸線Ｏとの距離Ｄ２よりも大きく、車体側フランジ２１における突部２１１の先端部と回転軸線Ｏとの距離Ｄ３よりも小さい。嵌合面３１１ａは、回転軸線Ｏからの距離Ｄ１が一定で、かつ回転軸線Ｏと平行な円環状の面である。当接面３１１ｂは、回転軸線Ｏに平行な方向に対して直交する平坦な面であり、取付部７１の車両アウタ側の端面７１ａに面接触する。
【００２９】
車輪側フランジ３１のボルト挿通孔３１３は、当接面３１１ｂに開口している。図３に示すように、本実施の形態では、車輪側フランジ３１に６つのボルト挿通孔３１３が周方向に沿って等間隔に形成されている。また、車輪側フランジ３１には、６つの圧入孔３１０が周方向に沿って等間隔に形成され、それぞれの圧入孔３１０にハブボルト５１の軸部５１１が圧入されている。ハブボルト５１の軸部５１１には、頭部５１０側の後端部の外周面にセレーション５１２が形成されており、このセレーション５１２の圧入孔３１０への食い込み作用により、ハブボルト５１が回り止めされている。
【００３０】
車輪側フランジ３１の周方向において、それぞれのボルト挿通孔３１３は、周方向に隣り合う２つの圧入孔３１０の間の位置に形成されている。圧入孔３１０の周辺では、車輪側フランジ３１における車両インナ側の端面が車両アウタ側に窪んでおり、これによりハブボルト５１の頭部５１０がブレーキロータ７の取付部７１に干渉しないようにされている。
【００３１】
ブレーキロータ７の取付部７１には、車体側フランジ２１を軸方向に通過させることが可能な貫通孔７０が形成されている。この貫通孔７０の形状は、車体側フランジ２１に対応した形状であり、車体側フランジ２１の突部２１１に対応する部分が径方向外方に張り出している。貫通孔７０は、ブレーキロータ７の取付部７１を軸方向に貫通している。
【００３２】
一対のガイド部材６は、ブレーキロータ７をブレーキロータ取付部３１１に取り付ける際にブレーキロータ７をガイド（案内）する部材であり、ブレーキロータ７が車輪側フランジ３１に固定された後に車輪側フランジ３１から取り除かれる。それぞれのガイド部材６は、棒状のガイド部６１と、車輪側フランジ３１への固定のための固定部６２とを一体に有している。また、ガイド部材６は、例えば６６ナイロン等の樹脂からなり、射出成型によって形成されている。
【００３３】
本実施の形態では、ガイド部材６のガイド部６１及び固定部６２が共に円柱状であり、固定部６２の外径がガイド部６１の外径よりも大きく形成されている。一対のガイド部材６は、車輪側フランジ３１の６つのボルト挿通孔３１３のうち、２つのボルト挿通孔３１３にそれぞれ挿通される。ガイド部材６は、図２に示すように、固定部６２が車輪側フランジ３１の凹部３１２に嵌合固定され、ガイド部６１がボルト挿通孔３１３に挿通される。ガイド部材６が挿通される２つのボルト挿通孔３１３は、図３に示すように、回転軸線Ｏを挟む位置にあることが望ましい。
【００３４】
（ブレーキロータ付き車輪用軸受装置１０の組み付け手順）
次に、ブレーキロータ付き車輪用軸受装置１０の組み付け手順（ブレーキロータ付き車輪用軸受装置１０の製造方法）について説明する。
【００３５】
ブレーキロータ付き車輪用軸受装置１０の組み付け手順は、外方部材２、内方部材３、複数の転動体４、ハブボルト５１、第１及び第２のシール部材５４，５５、ならびに一対のガイド部材６を図２のように組み立てる組立工程と、組立工程で組み立てられた組立体に対してブレーキロータ７を取り付けるブレーキロータ取付工程とを有している。ブレーキロータ取付工程では、ブレーキロータ７が一対のガイド部材６に案内されて車体側フランジ２１の外周側を通過する。これにより、ブレーキロータ７と車体側フランジ２１との接触が抑止されると共に、ブレーキロータ７の組み付け作業が容易となる。なお、ブレーキロータ取付工程は作業者の手作業によって行われる。
【００３６】
図５は、ブレーキロータ取付工程を示す断面図である。図６は、外方部材２の車体側フランジ２１がブレーキロータ７の貫通孔７０を軸方向に通過する際の状態を示す斜視図である。図５では、図面上下方向が鉛直方向の上下にあたる。
【００３７】
ブレーキロータ７は、取付部７１の車両アウタ側の端面７１ａをブレーキロータ取付部３１１の当接面３１１ｂに当接させた後、複数の固定ボルト５３によって車輪側フランジ３１に固定される。ブレーキロータ７の貫通孔７０に車体側フランジ２１を挿通させる作業は、図５に示すように、作業台（ワークベンチ）Ｂ上で行われる。作業台Ｂには、組立工程で組み立てられた組立体１００が、ハブボルト５１の先端部を下にして載置される。この状態では、一対のガイド部材６のガイド部６１が互いに平行に、かつ車輪側フランジ３１から鉛直方向上方に向かって突き出るように配置される。
【００３８】
ブレーキロータ７は、ガイド部材６によって内方部材３に対する径方向移動が規制された状態で、貫通孔７０の内側に車体側フランジ２１を通過させてブレーキロータ取付部３１１に取り付けられる。より具体的には、ブレーキロータ７のねじ孔７１１にガイド部材６のガイド部６１が挿通されて、ブレーキロータ７の内方部材３に対する径方向移動が規制される。ガイド部材６のガイド部６１は、外方部材２の車体側フランジ２１よりも車両インナ側（図５の上方）に延在している。また、本実施の形態では、ガイド部６１が外方部材２の筒部２０の車両インナ側の軸方向端面２０ｄよりもさらに車両インナ側に延在している。
【００３９】
ブレーキロータ取付工程の作業者は、外方部材２の上方でブレーキロータ７のねじ孔７１１にガイド部材６のガイド部６１の先端部を挿入し、ブレーキロータ７の取付部７１がブレーキロータ取付部３１１の当接面３１１ｂに当接するまで、ブレーキロータ７を作業台Ｂに向かって下方に移動させる。その後、作業者は、６つのボルト挿通孔３１３のうち、ガイド部材６が挿通されていない複数のボルト挿通孔３１３に固定ボルト５３を挿通させ、ブレーキロータ７を車輪側フランジ３１に固定する。その後さらに、作業者は、車輪側フランジ３１から一対のガイド部材６を取り外し、これらのガイド部材６が挿通されていた２つのボルト挿通孔３１３に固定ボルト５３を挿通させ、ブレーキロータ７を車輪側フランジ３１により強固に固定する。これにより、図１に示すブレーキロータ付き車輪用軸受装置１０が得られる。なお、ガイド部材６は、繰り返し再利用することが可能である。
【００４０】
（実施の形態の作用及び効果）
以上説明した本実施の形態によれば、ブレーキロータ７がガイド部材６に案内されて車体側フランジ２１の外周側を通過するので、ブレーキロータ７と車体側フランジ２１との接触が抑止され、ブレーキロータ７の組み付け時にブレーキロータ７に傷が付くことが抑制される。このため、ブレーキロータ７を車輪側フランジ３１に取り付けられなくなったり、ブレーキロータ７が車輪側フランジ３１に対して傾いた状態で取り付けられて回転振れが発生してしまうことを防ぐことができる。このことについて、図７を参照してより具体的に説明する。
【００４１】
図７は、例えばガイド部材６を用いない組み付け作業により、車体側フランジ２１の外側にブレーキロータ７を通過させる際に貫通孔７０の内周面７０ａと取付部７１の車両アウタ側の端面７１ａとの角部Ｅが車体側フランジ２１における突部２１１に衝突して傷が付いた状態の一例を示す図である。図７では、車体側フランジ２１との衝突前の取付部７１の形状を二点鎖線で示している。
【００４２】
角部Ｅが車体側フランジ２１の突部２１１に衝突すると、車両アウタ側の端面７１ａから軸方向に突出する軸方向突片７１２や、貫通孔７０の内周面７０ａから内方に突出する内方突片７１３が発生する場合がある。この場合、軸方向突片７１２がブレーキロータ取付部３１１の当接面３１１ｂに突き当たることにより、取付部７１の車両アウタ側の端面７１ａと当接面３１１ｂとの面接触が妨げられ、ブレーキロータ７が車輪側フランジ３１に対して傾いた状態で固定されてしまい、ブレーキジャダーが発生するおそれがある。また、内方突片７１３の大きさによっては、ブレーキロータ７の取付部７１をブレーキロータ取付部３１１の嵌合面３１１ａに嵌め合せることができない組み付け不良が発生するおそれがある。またさらに、ブレーキロータ７との衝突によって車体側フランジ２１に傷が付くと、外方部材２のナックル９１への取り付けが正常に行われなくなるおそれもある。
【００４３】
本実施の形態では、ガイド部材６によってブレーキロータ７と車体側フランジ２１とが接触することが抑止されているので、上記のような軸方向突片７１２や内方突片７１３が生じることを防ぐことができ、ブレーキジャダーや組み付け不良の発生を防ぐことが可能となる。
【００４４】
また、本実施の形態では、固定ボルト５３を挿通させるためのボルト挿通孔３１３を用いて一対のガイド部材６を車輪側フランジ３１に取り付けるので、ハブ輪３０にガイド部材６を取り付けるための専用の取付部を設ける必要がない。このため、ハブ輪３０の加工工数の増大や重量の増加をもたらすことなく、ガイド部材６を用いた上記の製造方法を採用し得る。
【００４５】
また、本実施の形態では、ガイド部材６のガイド部６１が外方部材２の車両インナ側の端面２０ｄよりもさらに車両インナ側に延在しているので、外方部材２の円筒部２０における車両インナ側の端部とブレーキロータ７との接触をも防ぐことができる。
【００４６】
また、本実施の形態では、ガイド部材６の固定部６２がボルト挿通孔３１３の凹部３１２に嵌合固定されるので、ブレーキロータ取付工程においてガイド部材６が車輪側フランジ３１に対して傾いたり抜け落ちたりすることが抑止される。
【００４７】
またさらに、本実施の形態では、ガイド部材６が樹脂からなるので、ガイド部材６との接触によりブレーキロータ７に傷がつくことを防ぐことができ、かつガイド部６１によってブレーキロータ７を円滑に案内することができる。
【００４８】
（付記）
以上、本発明を実施の形態に基づいて説明したが、これらの実施の形態は特許請求の範囲に係る発明を限定するものではない。また、実施の形態の中で説明した特徴の組合せの全てが発明の課題を解決するための手段に必須であるとは限らない点に留意すべきである。
【００４９】
また、本発明は、その趣旨を逸脱しない範囲で適宜変形して実施することが可能である。例えば、上記実施の形態では、車両の駆動源の駆動力が伝達される駆動輪及び駆動力が伝達されない従動輪のうち、従動輪である車輪８を支持するための車輪用軸受装置１を例にとって説明したが、これに限らず、駆動輪を支持するための車輪用軸受装置に本発明を適用することも可能である。この場合、ハブ輪３０の中心部にドライブシャフトを構成する等速ジョイントのステム部が相対回転不能にスプライン嵌合する。
【００５０】
また、上記実施の形態では、固定ボルト５３の軸部５３１が車輪側フランジ３１のボルト挿通孔３１３に挿通されてブレーキロータ７のねじ孔７１１に螺合する場合について説明したが、この関係が逆でもよい。つまり、固定ボルト５３の軸部５３１がブレーキロータ７の取付部７１に形成されたボルト挿通孔を挿通して車輪側フランジ３１に形成されたねじ孔に螺合することにより、ブレーキロータ７を車輪側フランジ３１に固定してもよい。なお、この場合でも、ガイド部材６の固定部６２が嵌合固定される凹部がねじ孔に連通して車輪側フランジ３１に形成されていることが望ましい。
【符号の説明】
【００５１】
１…車輪用軸受装置                          ２…外方部材
２０ｄ…軸方向端面                          ２１…車体側フランジ
３…内方部材                                ３１…車輪側フランジ
３１１…ブレーキロータ取付部                ３１３…ボルト挿通孔（ボルト孔）
４…転動体                                  ５３…固定ボルト
５３０…頭部                                ５３１…軸部
６…ガイド部材                              ６１…ガイド部
６２…固定部                                ７…ブレーキロータ
７０…貫通孔                                ７１１…ねじ孔（ボルト孔）
８…車輪                                    ９…懸架装置
９１…ナックル
【図１】
2019190570.tif 000003
【図２】
2019190570.tif 000004
【図３】
2019190570.tif 000005
【図４】
2019190570.tif 000006
【図５】
2019190570.tif 000007
【図６】
2019190570.tif 000008
【図７】
2019190570.tif 000009